(57)【特許請求の範囲】
【請求項１】
各操作対象に付設され識別データを持つ情報媒体と、前記情報媒体の識別データを読み取り可能な操作支援装置とを備える操作支援システムであって、
前記操作支援装置は、
操作順序ごとに操作対象と操作内容とを示す操作票と、前記各操作対象に対応する識別データを示す変換テーブルとをあらかじめ記憶し、前記操作票に基づいて前記操作順序から順に、前記操作対象と操作内容とを操作指令として音声で出力し、各操作指令の出力後に前記情報媒体の識別データが読み取られると、前記変換テーブルに基づく読み取られた識別データに対応する操作対象と、当該操作指令の操作対象とが一致しているか否かを判定して、前記読み取られた識別データに対応する操作対象の操作の可否を音声で出力することを特徴とする操作支援システム。
【請求項２】
前記情報媒体が前記識別データを記録したバーコードであり、前記操作支援装置が前記バーコードから識別データを読み取るバーコード読取り器を備え、
前記操作支援装置には、前記バーコード読取り器が読み取った識別データが入力されることを特徴とする請求項１に記載の操作支援システム。
【請求項３】
前記情報媒体が前記識別データを記録したＩＣタグであり、前記操作支援装置が前記ＩＣタグから識別データを読み取るＩＣタグ読取り器を備え、
前記操作支援装置には、前記ＩＣタグ読取り器が読み取った識別データが入力されることを特徴とする請求項１に記載の操作支援システム。
【請求項４】
管理者等により操作されて、受け取ったデータを表示する管理端末を備え、
前記操作支援装置は、前記読み取られた識別データに対応する操作対象と、当該操作指令の操作対象とが一致しているか否かの判定結果および操作順序の少なくとも一方を含むデータを、前記管理端末に出力することを特徴とする請求項１から３のいずれか１項に記載の操作支援システム。
【発明の詳細な説明】
【技術分野】
【０００１】
この発明は、機器等の操作手順を支援する操作支援システムおよび操作支援方法に関する。
【背景技術】
【０００２】
操作員により操作を必要とする操作対象機器には、例えば発電所や変電所に設置されている各種の制御盤がある。発電所や変電所での作業に伴い制御盤を操作する場合、運転責任者と操作員とが２人１組となり、運転責任者は、あらかじめ電力会社事務所の担当者が作成した操作票に従って、操作員に操作内容を指令する。操作票には、制御盤の操作対象であるスイッチの操作順序が記載されている。操作員は、運転責任者から操作指令を受けると、操作内容を復唱し、かつ、制御盤のスイッチの指先呼称をして確認し、誤操作を防いでいる。
【０００３】
一方、操作盤のスイッチの誤操作を防ぐために、次の技術がある。この技術では、操作盤に掛けるタブレット板を用意する。タブレット板には、操作を必要とする操作盤のスイッチの位置に穴を開ける。操作盤には、タブレット板を掛ける掛け具を設け、この掛け具にタブレット板が掛かったか否かを検知し、不検知の際には押しボタンスイッチの機能を停止する検知手段を設ける。これにより、操作盤のスイッチの誤操作を防いでいる（例えば、特許文献１参照。）。
【特許文献１】特開平７−６０８６２号公報
【発明の開示】
【発明が解決しようとする課題】
【０００４】
操作対象機器として例えば前述の制御盤の誤操作を防ぐために、運転責任者と操作員とを２人１組にした場合、複数の発電所や変電所での作業が重なると運転責任者や操作員が不足し、発電所や変電所での作業日程を変更する必要がある。また、操作盤にタブレット板を用いる場合、スイッチの操作が多くまた複雑になると、多数のタブレット板を用意する必要がある。これにより、例えば必要とするタブレット板を取り出すために時間がかかり、タブレット板を用いた作業性が悪くなる。さらに、操作盤が発電所や変電所の制御盤である場合、大型の制御盤に対してタブレット板が大きくなり、タブレット板の取り扱いが容易ではない。
【０００５】
この発明の目的は、前記の課題を解決し、操作対象機器の操作に際して複数の作業者を不要にして、しかも、取り扱いが容易な操作支援システムおよび操作支援方法を提供することにある。
【課題を解決するための手段】
【０００６】
前記の課題を解決するために、請求項１の発明は、各操作対象に付設され識別データを持つ情報媒体と、前記情報媒体の識別データを読み取り可能な操作支援装置とを備える操作支援システムであって、前記操作支援装置は、操作順序ごとに操作対象と操作内容とを示す操作票と、前記各操作対象に対応する識別データを示す変換テーブルとをあらかじめ記憶し、前記操作票に基づいて前記操作順序から順に、前記操作対象と操作内容とを操作指令として音声で出力し、各操作指令の出力後に前記情報媒体の識別データが読み取られると、前記変換テーブルに基づく読み取られた識別データに対応する操作対象と、当該操作指令の操作対象とが一致しているか否かを判定して、前記読み取られた識別データに対応する操作対象の操作の可否を音声で出力することを特徴とする操作支援システムである。
【０００７】
請求項１の発明では、識別データを持つ情報媒体が各操作対象に設けられている。また、操作支援装置は、操作順序ごとに操作対象と操作内容とを示す操作票と、各操作対象に対応する識別データを示す変換テーブルをあらかじめ記憶している。この状態のときに、操作支援装置は、操作票に基づいて操作順序から順に、操作対象と操作内容とを操作指令として音声で出力する。音声を出力した後、機器の操作員によって識別データが読み取られると、読み取られた識別データに対応する操作対象と、操作指令の操作対象とが一致しているか否かを判定し、操作員が読み取った操作対象の操作の可否を音声で出力する。
【０００８】
請求項２の発明は、請求項１に記載の操作支援システムにおいて、前記情報媒体が前記識別データを記録したバーコードであり、前記操作支援装置が前記バーコードから識別データを読み取るバーコード読取り器を備え、前記操作支援装置には、前記バーコード読取り器が読み取った識別データが入力されることを特徴とする。
【０００９】
請求項３の発明は、請求項１に記載の操作支援システムにおいて、前記情報媒体が前記識別データを記録したＩＣタグであり、前記操作支援装置が前記ＩＣタグから識別データを読み取るＩＣタグ読取り器を備え、前記操作支援装置には、前記ＩＣタグ読取り器が読み取った識別データが入力されることを特徴とする。
【００１０】
請求項４の発明は、請求項１〜３のいずれか１項に記載の操作支援システムにおいて、管理者等により操作されて、受け取ったデータを表示する管理端末を備え、前記操作支援装置は、前記読み取られた識別データに対応する操作対象と、当該操作指令の操作対象とが一致しているか否かの判定結果および操作順序の少なくとも一方を含むデータを、前記管理端末に出力することを特徴とする。
【発明の効果】
【００１６】
請求項１の発明によれば、機器の操作員に対して操作順序から順に操作指令を音声で出力すると共に、各操作指令に応じて操作員が操作対象の識別データを読み取ると、操作員が読み取った操作対象の操作の可否を音声で出力する。つまり、従来の２人１組による操作指令とその指先呼称、復唱と同様に、操作対象が正しいか否かを音声で出力しながら、順に操作指令を音声で出力するため、機器の操作対象を操作する際の誤操作を防ぐことができる。かつ、操作支援装置が操作指令や操作の可否を音声で出力するので、機器の操作を操作員一人で行うことができる。また、操作支援装置からの操作指令や操作の可否が音声であるので、操作内容や操作の可否の伝達および理解を容易にし、操作対象の誤操作を確実に防ぐことができる。
【００１７】
請求項２および請求項３の発明により、識別データの入力をバーコードやＩＣタグを用いて行うので、操作対象に対するこれらの付設が極めて容易であり、また、読み取りの操作も簡単である。特に、ＩＣタグはサイズが小さいので、操作対象に対する付設範囲の自由度を大きくすることができる。さらに、ＩＣタグが記憶する識別データの書き換えが可能であるので、操作対象に付設したＩＣタグの交換作業も不要である。
【００２０】
請求項４の発明により、操作員が読み取った操作対象と操作指令の操作対象とが一致しているか否かの判定結果や操作順序などを管理端末が表示するので、この管理端末を作業現場から離れた事務所に設置すれば、操作対象に対する作業を事務所にいる管理者が確認することを可能にする。
【発明を実施するための最良の形態】
【００２１】
次に、この発明の実施の形態について、図面を用いて詳しく説明する。
【００２２】
（実施の形態１）
この実施の形態では、発電所や変電所の制御盤が操作対象機器である場合を例としている。この実施の形態による操作支援システムを図１に示す。この操作支援システムは、装置本体１１とバーコード読取り器１２とを具備する操作支援装置１と、制御盤２のスイッチ２１〜２４にそれぞれ付設されたバーコード２５Ａ〜２５Ｄとを備えている。
【００２３】
制御盤２は変電所や発電所の作業に伴い運転責任者により操作され、制御盤２のスイッチ２１〜２４は操作順序が規定されている。この実施の形態では、スイッチ２１〜２４の名称は、
スイッチ２１の名称：ＡＢスイッチ
スイッチ２２の名称：ＣＤスイッチ
スイッチ２３の名称：ＵＶスイッチ
スイッチ２４の名称：ＷＸスイッチ
である。また、この実施の形態では、スイッチ２１〜２４の操作順序は次ぎのとおりである。
【００２４】
１番目：スイッチ２１
２番目：スイッチ２２
３番目：スイッチ２３
４番目：スイッチ２４
バーコード２５Ａ〜２５Ｄは、スイッチ２１〜２４にそれぞれ付設されている。バーコード２５Ａ〜２５Ｄには、スイッチ２１〜２４の識別データが記録されている。この実施の形態では、バーコード２５Ａ〜２５Ｄに記録されている識別データは次ぎのとおりである。
【００２５】
バーコード２５Ａの識別データ：１１１
バーコード２５Ｂの識別データ：１１２
バーコード２５Ｃの識別データ：１１３
バーコード２５Ｄの識別データ：１１４
操作支援装置１は運転責任者や操作員によって操作されるものであり、この実施の形態では操作員によって操作される場合を例としている。操作支援装置１は、バーコード２５Ａ〜２５Ｄから識別データを読み取って、スイッチ２１〜２４の操作の可否を音声で出力する。操作支援装置１のバーコード読取り器１２は、操作員によって操作されるものであり、バーコード２５Ａ〜２５Ｄから識別データを読み取って装置本体１１に送る。
【００２６】
操作支援装置１の装置本体１１は、図２に示すように、接続部１１Ａ、入力部１１Ｂ、処理部１１Ｃ、記憶部１１Ｄ、音声出力部１１Ｅ、および表示部１１Ｆを備えている。
【００２７】
接続部１１Ａは、バーコード読取り器１２を接続するためのインタフェースであり、バーコード読取り器１２から識別データを受け取ると、この識別データを処理部１１Ｃに送る。音声出力部１１Ｅは、処理部１１Ｃの制御によって、スイッチ２１〜２４の操作指令や操作の可否などを音声で出力する。表示部１１Ｆは、処理部１１Ｃの制御によって、入力部１１Ｂに入力された各種の指示や操作票、スイッチ２１〜２４の操作の可否を表示する。
【００２８】
入力部１１Ｂは操作員によって操作される。入力部１１Ｂには、操作員によって作業を開始する際に操作支援開始の指示などが入力され、入力部１１Ｂは、入力された操作支援開始指示などを表す入力データを処理部１１Ｃに送る。また、入力部１１Ｂには、制御盤２のスイッチ２１〜２４の名称や操作順序などを表す操作票用の文字データが電力会社事務所の担当者によって入力される。
【００２９】
記憶部１１Ｄは、操作員に対する操作支援に関連する処理部１１Ｃの処理手順を記憶している。また、記憶部１１Ｄは、接続部１１Ａからの識別データをスイッチ２１〜２４の名称に変換するために、図３に示す変換テーブル１１Ｄ1を記憶している。変換テーブル１１Ｄ1は、「１１１」の識別データと「ＡＢスイッチ」とを対応させ、「１１２」の識別データと「ＣＤスイッチ」とを対応させている。また、「１１３」の識別データと「ＵＶスイッチ」とを対応させ、「１１４」の識別データと「ＷＸスイッチ」とを対応させている。変換テーブル１１Ｄ1では、「スイッチの名称」に対応する各データはテキスト形式の文字データである。これは、後述する音声変換のためである。
【００３０】
また、記憶部１１Ｄは、入力部１１Ｂに入力されたデータを基にして処理部１１Ｃが作成した操作票を記憶している。この操作票については後述する。
【００３１】
処理部１１Ｃは、操作支援に関連する処理として、操作票作成処理と照合処理とを行う。操作票作成処理では、処理部１１Ｃは、入力部１１Ｂに入力された操作票用の文字データを受け取ると、この文字データを基にして操作票を表す操作票データを作成して記憶部１１Ｄに記憶する。処理部１１Ｃが作成する操作票データの一例を図４に示す。図４の操作票データ１１Ｄ2はスイッチ２１〜２４の操作順序や操作内容を表すものであり、「１番目」に操作されるべき「操作スイッチ」が「ＡＢスイッチ」であり、その「操作内容」がスイッチの「オン」であることを表す。同じように、操作票データ１１Ｄ2は、「２番目」に操作されるべき「操作スイッチ」が「ＣＤスイッチ」であり、その「操作内容」がスイッチの「オン」であることを表し、「３番目」に操作されるべき「操作スイッチ」が「ＵＶスイッチ」であり、その「操作内容」がスイッチの「オフ」であることを表す。さらに、操作票データ１１Ｄ2は、「４番目」に操作されるべき「操作スイッチ」が「ＷＸスイッチ」であり、その「操作内容」がスイッチの「オフ」であることを表す。操作票データ１１Ｄ2の各項目「操作順序」、「操作スイッチ」、「操作内容」に対応する各データは、これらの項目を含めてテキスト形式の文字データである。
【００３２】
処理部１１Ｃは、記憶部１１Ｄが操作票データ１１Ｄ2を記憶しているときに、入力部１１Ｂから操作支援開始の指示を受け取ると、照合処理を行う。以下では照合処理の説明と、この実施の形態による操作支援システムを用いた操作支援方法の説明とを併せて行う。処理部１１Ｃは、図５に示すように、操作支援開始の指示を表す入力データを入力部１１Ｂから受け取ると（ステップＳ１）、記憶部１１Ｄから操作票データ１１Ｄ2を読み出す（ステップＳ２）。ステップＳ２の後、処理部１１Ｃは、操作票の最初の行データを抽出する（ステップＳ３）。処理部１１Ｃは、抽出した操作票の行データを音声データに変換し（ステップＳ４）、スイッチの操作指令を示すこの音声データを音声出力部１１Ｅに送る（ステップＳ５）。
【００３３】
ステップＳ５により、音声出力部１１Ｅは、処理部１１Ｃから受け取った音声データを基にして音声を出力する。ここでは、音声出力部１１Ｅは例えば、
「操作順序  １番目」
「操作スイッチ  ＡＢスイッチ」
「操作内容  オン」
の音声を順に出力する。音声による操作指令を聞いた操作員が制御盤に行ってバーコード読取り器１２を「ＡＢスイッチ」であるスイッチ２１のバーコード２５Ａに当ててバーコード２５Ａを読み取る。これにより、バーコード読取り器１２はバーコード２５Ａから読み取った識別データを接続部１１Ａに送る。接続部１１Ａは、バーコード読取り器１２から受け取った識別データを処理部１１Ｃに送る。
【００３４】
ステップＳ５の後、処理部１１Ｃは接続部１１Ａからスイッチ２１の識別データを受け取る（ステップＳ６）。処理部１１Ｃは、記憶部１１Ｄの変換テーブル１１Ｄ1を用いて、ステップＳ４で用いた操作票の行データ中の操作スイッチと識別データが表すスイッチとを照合する（ステップＳ７）。ステップＳ７の後、処理部１１Ｃは、２つのスイッチが一致するかどうかを判断する（ステップＳ８）。ステップＳ８で２つのスイッチが一致すると、スイッチの操作指示を表す音声データを生成し（ステップＳ９）、この音声データを音声出力部１１Ｅに送る（ステップＳ１０）。
【００３５】
これにより、音声出力部１１Ｅは、操作指示を表す音声を出力する。これを聞いた操作員は、バーコード読取り器１２で読取ったバーコード２５Ａに対応するスイッチを操作する。この後、操作員は、入力部１１Ｂを操作して、スイッチ操作の終了を入力する。入力部１１Ｂは、スイッチ操作の終了を表す入力データを処理部１１Ｃに送る。
【００３６】
処理部１１Ｃは、ステップＳ１０の後、入力部１１Ｂからスイッチの操作終了を表す入力データを受け取ると（ステップＳ１１）、ステップＳ４で用いた行データが操作票の最後の行データかどうかを判断する（ステップＳ１２）。ステップＳ１２で最後の行データと判断すると、処理部１１Ｃは一連のスイッチ操作の作業が終了して操作支援が終了したことを表す音声データを生成する（ステップＳ１３）。処理部１１Ｃは、この音声データを音声出力部１１Ｅに出力し（ステップＳ１４）、照合処理を終了する。
【００３７】
一方、ステップＳ８で２つのスイッチが一致しない場合、処理部１１Ｃは警報を表す音声データを生成する（ステップＳ１５）。処理部１１Ｃは、この音声データを音声出力部１１Ｅに出力し（ステップＳ１６）、処理をステップＳ４に戻す。これにより、音声出力部１１Ｅは、操作スイッチが間違っていること操作員に音声で知らせると同時に、再度、音声による正しい操作指令を出力する。
【００３８】
また、処理部１１Ｃは、ステップＳ１２で最後の行データではないと判断すると、操作票の次の行データを抽出し（ステップＳ１７）、処理をステップＳ４に戻す。
【００３９】
ところで、従来であれば、図７に示すように、運転責任者と操作員とが２人１組となり、運転責任者は、あらかじめ電力会社事務所の担当者が作成した操作票に従って、操作員に操作指令をする。操作員は、運転責任者から操作指令を受けると、操作対象機器である制御盤のスイッチの指先呼称をして確認し、かつ、指令内容を復唱する。運転責任者は操作員の復唱内容がよければ、操作指示を出して、制御盤に対する誤操作を防いでいる。
【００４０】
これに対して、この実施の形態では、図８に示すように、操作員が操作支援装置１の装置本体１１を操作して、操作支援開示の指示を入力すると、装置本体１１が音声により操作指令を出す。操作員は、操作支援装置１から操作指令を受けると、操作対象機器である制御盤のスイッチに付設されたバーコードを操作支援装置１のバーコード読取り器１２を用いて読み取る。操作支援装置１の装置本体１１は、バーコード読取り器１２で読み取った識別データと操作対象のスイッチとを照合し、照合結果が一致すると操作指示を出す。このとき事務所側に、管理者等により操作される管理端末を設置する。そして、バーコードの識別データに対応する操作対象機器と、音声で出力した操作対象機器とを照合した結果や操作順序を含むデータなどを操作支援装置１が管理端末に出力し、管理端末が操作支援装置１からのデータを表示するようにしてもよい。
【００４１】
これによって、制御盤に対する誤操作を防ぐことができ、しかも、操作員１人で作業を行うことができる。また、操作支援装置１からの操作指令が音声であるので、操作内容の伝達および理解を容易にし、誤操作を確実に防ぐことができる。また、スイッチ２１〜２４に対するバーコード２５Ａ〜２５Ｄの付設が極めて容易であり、バーコード読取り器１２を用いた読み取りの操作も簡単である。さらに、スイッチ２１〜２４の操作順序を操作票の形式で入力することができるので、操作順序の入力作業を効率的に行うことができる。また、この実施の形態により、従来用いていたタブレットを不要にすることができる。さらに、管理端末を事務所に設置した場合には、操作対象機器に対する作業を事務所側で確認することが可能になる。
【００４２】
（実施の形態２）
この実施の形態では、スイッチ２１〜２４を識別するために、実施の形態１のバーコード２５Ａ〜２５Ｄの代わりにＩＣタグを用いる。つまり、この実施の形態による操作支援システムは、図９に示すように、装置本体１１とＩＣタグ読取り器１３とを具備する操作支援装置１と、制御盤２のスイッチ２１〜２４に付設されたＩＣタグ２６Ａ〜２６Ｄとを備えている。なお、この実施の形態では、先に説明した実施の形態１と同一もしくは同一と見なされる構成要素には、それと同じ参照符号を付けて、その説明を省略する。
【００４３】
ＩＣタグ２６Ａ〜２６ＤはＩＣチップをそれぞれ内蔵し、各ＩＣチップには、スイッチ２１〜２４の識別データがそれぞれ記憶されている。この実施の形態では、ＩＣタグ２６Ａ〜２６Ｄに記録されている識別データは実施の形態１と同様に次ぎのとおりである。
【００４４】
ＩＣタグ２６Ａの識別データ：１１１
ＩＣタグ２６Ｂの識別データ：１１２
ＩＣタグ２６Ｃの識別データ：１１３
ＩＣタグ２６Ｄの識別データ：１１４
ＩＣタグ２６Ａ〜２６Ｄは、バーコード読取り器１２から電磁波を受信すると、この電磁波によって動作する。動作を開始したＩＣタグ２６Ａ〜２６Ｄは、あらかじめＩＣチップに記憶している識別データを応答信号として電磁波で送信する。
【００４５】
操作支援装置１は、ＩＣタグ２６Ａ〜２６Ｄから識別データを読み取って、スイッチ２１〜２４の操作の可否を音声で出力する。操作支援装置１のＩＣタグ読取り器１３は、操作員によって操作されるものであり、操作員の操作により読取り用の電磁波を送信する。ＩＣタグ読取り器１３は、ＩＣタグ２６Ａ〜２６Ｄが送信する応答信号を受信すると、この応答信号に含まれる識別データを装置本体１１に送る。
【００４６】
操作支援装置１の装置本体１１は、図１０に示すように、接続部１１Ｇ、入力部１１Ｂ、処理部１１Ｃ、記憶部１１Ｄ、音声出力部１１Ｅ、および表示部１１Ｆを備えている。
【００４７】
接続部１１Ｇは、ＩＣタグ読取り器１３を接続するためのインタフェースであり、ＩＣタグ読取り器１３から識別データを受け取ると、この識別データを処理部１１Ｃに送る。
【００４８】
こうした実施の形態２によっても、実施の形態１と同様に同じ効果を達成することができる。さらに、ＩＣタグ２６Ａ〜２６Ｄはサイズが小さいので、スイッチ２１〜２４の前面などに付設することができ、しかも、ＩＣタグ読取り器１３やＩＣタグ２６Ａ〜２６Ｄが送信する電磁波は微弱であるので、制御盤などの回路に影響を与えることがない。かつ、ＩＣタグ２６Ａ〜２６ＤのＩＣチップが記憶する識別データの書き換えが可能であるので、スイッチ２１〜２４に付設したＩＣタグ２６Ａ〜２６Ｄの交換も不要である。
【００４９】
（実施の形態３）
この実施の形態では、実施の形態１の装置本体１１が操作員の音声を音声認識によって処理する。このために、この実施の形態では、装置本体１１が図１１に示すように音声入力部１１Ｈを備えている。
【００５０】
音声入力部１１Ｈは、操作員の音声を音声データに変換して処理部１１Ｃに送る。この実施の形態による処理部１１Ｃは、実施の形態１の処理に加えて次ぎの音声認識処理を行う。つまり、処理部１１Ｃは、ステップＳ５の後で操作員が操作内容を復唱すると、音声入力部１１Ｈが操作員の音声を音声データに変換して処理部１１Ｃに送る。処理部１１Ｃは、ステップＳ７の処理に際して音声入力部１１Ｈから音声データを受け取ると、音声認識処理によりこの音声データを認識し、音声認識結果で得た操作スイッチを識別データの代わりとする。また、ステップＳ１０の後で操作員が操作終了を表す言葉、例えば、「スイッチの操作終了」という言葉を発すると、音声入力部１１Ｈが操作員の音声を音声データに変換して処理部１１Ｃに送る。処理部１１Ｃは、ステップＳ１１の処理に際して、音声入力部１１Ｈから音声データを受け取ると、音声認識処理によりこの音声データを認識して、イッチ操作の終了を表す入力データとし、実施の形態１と同様に以後の処理を行う。
【００５１】
こうした実施の形態３によっても、実施の形態１と同様に同じ効果を達成することができる。また、この実施の形態によれば、実施の形態１のバーコード２５Ａ〜２５Ｄや実施の形態２のＩＣタグ２６Ａ〜２６Ｄを不要にすることができる。さらに、電力会社事務所の担当者が入力部１１Ｂを用いて操作票用の文字データを入力する代わりに、音声によって制御盤２のスイッチ２１〜２４の名称や操作順序などを入力してもよい。これにより、処理部１１Ｃは、操作票作成処理の際に音声認識処理により、音声入力部１１Ｈからの操作票用の音声データを認識して、操作票を表す操作票データを作成する。これにより、担当者の入力作業による負担を軽減することができる。
【００５２】
以上、この発明の各実施の形態を詳述してきたが、具体的な構成はこれらの実施の形態に限られるものではなく、この発明の要旨を逸脱しない範囲の設計の変更等があっても、この発明に含まれる。例えば、操作対象機器としては、発電所や変電所に設置されている各種の制御盤に限らず、計測器の取り扱い順序や指示計の確認順序など各種の機器がある。また、実施の形態３では、ステップＳ７またはステップＳ１１のどちらか一方に対して音声認識処理を行うようにしてもよい。
【図面の簡単な説明】
【００５３】
【図１】この発明の実施の形態１による操作支援システムの説明図である。
【図２】実施の形態１による操作支援装置の構成を示すブロック図である。
【図３】変換テーブルの一例を示す図である。
【図４】操作票データの一例を示す図である。
【図５】照合処理を示すフローチャートである。
【図６】照合処理を示すフローチャートである。
【図７】従来の操作対象機器の操作を説明する説明図である。
【図８】実施の形態１による操作対象機器の操作を説明する説明図である。
【図９】この発明の実施の形態２による操作支援システムの説明図である。
【図１０】実施の形態２による操作支援装置の構成を示すブロック図である。
【図１１】実施の形態３による操作支援装置の構成を示すブロック図である。
【符号の説明】
【００５４】
１  操作支援装置
１１  装置本体
１１Ａ、１１Ｇ  接続部
１１Ｂ  入力部
１１Ｃ  処理部
１１Ｄ  記憶部
１１Ｄ1  変換テーブル
１１Ｄ2  操作票データ
１１Ｅ  音声出力部
１１Ｆ  表示部
１１Ｈ  音声入力部
１２  バーコード読取り器
１３  ＩＣタグ読取り器
２  制御盤（機器）
２１〜２４  スイッチ（操作対象）
２５Ａ〜２５Ｄ  バーコード（情報媒体）
２６Ａ〜２６Ｄ  ＩＣタグ（情報媒体）
【図１】
0004583323.tif 000002
【図２】
0004583323.tif 000003
【図３】
0004583323.tif 000004
【図４】
0004583323.tif 000005
【図５】
0004583323.tif 000006
【図６】
0004583323.tif 000007
【図７】
0004583323.tif 000008
【図８】
0004583323.tif 000009
【図９】
0004583323.tif 000010
【図１０】
0004583323.tif 000011
【図１１】
0004583323.tif 000012